Podtech/llm-jp-corpus-v4-ja_patent huggingface dataset:
(57)【要約】【課題】着衣のままで授乳を容易に行うことができると共に卒乳後も抵抗感なく着用し続けることが可能なウエアを提供する。【解決手段】前襟ぐり２にゴムシャーリング４を入れて伸縮自在にしたＴシャツなどのウエア１である。ゴムシャーリングによって伸縮自在とされている前襟ぐりを手で下方に引き延ばして胸を出すことにより、授乳が容易である。引き延ばす力を加減することにより胸の開き具合を簡単に調整できる。通常の着衣状態では外観上何ら授乳用のウエアであることが意識されないので、卒乳後も着用し続けることができる。【選択図】図１
0003145304.tif 000002
【実用新案登録請求の範囲】
【請求項１】
前襟ぐりを伸縮自在にして、片手で引き延ばして胸を出して授乳可能としたことを特徴とするウエア。
【請求項２】
少なくとも胸部から襟部にかけての領域を伸縮自在な素材で形成したウエアにおいて、襟ぐりにソフトなゴムシャーリングを入れて伸縮自在としたことを特徴とするウエア。
【請求項３】
前襟ぐりのみを伸縮自在にして、前襟ぐりを下方に引き伸ばしても後身頃が実質的に動くことなく固定されるように形成したことを特徴とする請求項１または２に記載のウエア
【考案の詳細な説明】
【技術分野】
【０００１】
本考案は着衣のままで授乳を容易に行うことができるウエアに関する。
【背景技術】
【０００２】
乳児を連れた母親が外出先などで授乳しなければならないとき、従来は服をたくし上げて授乳していたが、周りの目が気になるなど女性にとっては心理的な抵抗が大きいものであった。
【０００３】
このような背景から、バスト近くの箇所に目立たないようにファスナー付の授乳用スリットを設けたウエアや、カシュクール風の打合せの下に隠れるように授乳口を設けたウエアなども市販されている。前者によればファスナーを下げることによって開口した授乳用スリットから胸を出して授乳することができ、また後者によればカシュクールを開いて授乳することができ、いずれも着衣のままで比較的抵抗感なく授乳を行うことができる。
【考案の開示】
【考案が解決しようとする課題】
【０００４】
しかしながら、授乳の際は片手で乳児を抱えながらもう一つの手で胸を出して行わなければならないところ、上記従来のウエアはその構造上授乳用スリットや授乳口を大きく設けることが困難であり、授乳に支障を来すことがあった。また、ファスナーで授乳用スリットを開口させるタイプのものは、ファスナーを開閉するときに誤って肌を傷付けてしまう恐れがあった。さらに、カシュクール風の授乳用ウエアにあっては授乳口が常時は打合せに隠れる位置に設けられているとしても、カシュクールが外側にずれると授乳口が開いて胸が露出してしまうことがあり、授乳期を終えた後も着用し続けることは実際上ほとんどされていなかった。また、授乳時に無理に大きく開けようとするとウエアが元に戻らないことがあった。
【０００５】
したがって、本考案の課題は、これらの従来技術の欠点を解消し、着衣のままワンタッチでウエアが乱れることなく授乳を容易に行うことができると共に卒乳後も抵抗感なく着用し続けることが可能なウエアを提供することにある。
【課題を解決するための手段】
【０００６】
この課題を解決するため、請求項１に係る本考案は、前襟ぐりを伸縮自在にして、片手で引き延ばして胸を出して授乳可能としたことを特徴とするウエアである。
【０００７】
請求項２に係る本考案は、少なくとも胸部から襟部にかけての領域を伸縮自在な素材で形成したウエアにおいて、襟ぐりにソフトなゴムシャーリングを入れて伸縮自在としたことを特徴とする。
【０００８】
請求項３に係る本考案は、請求項１または２に記載のウエアにおいて、前襟ぐりのみを伸縮自在にして、前襟ぐりを下方に引き伸ばしても後身頃が実質的に動くことなく固定されるように形成したことを特徴とする。
【考案の効果】
【０００９】
このウエアは、前襟部ないし前襟ぐりが伸縮自在に形成されるため、この部分を軽く片手で引き延ばすことにより胸を大きく出すことができ、容易に授乳を行うことができる。この状態から前襟ぐりを引き伸ばしている手を離せば瞬時に元のきっちりしたウエアに戻る。すなわち、授乳時以外は通常のウエアと同様の着衣状態になる。ゴムシャーリングは伸び切ることはないので、卒乳後も着用し続けることができる。
【考案を実施するための最良の形態】
【００１０】
以下に本考案によるウエアの好適な一実施形態について添付の図１を参照して詳述する。この実施形態によるウエアは伸縮自在な素材で作られたＴシャツ１であり、その前襟ぐり２にゴムシャーリング３を入れてある。ゴムシャーリング４は、Ｔシャツ１の肩の切替ライン３から前方（前身頃）の襟元にゴムひも入れてギャザーを寄せることによって設けられている。
【００１１】
図１（ａ）は通常の着衣状態を示し、通常のＴシャツと何ら異なるところはない。授乳するときは、図１（ｂ）に示すように、ゴムシャーリング４によって収縮された状態となっている襟部２を手で下方に引き延ばすと、ゴムシャーリング４のゴムひもが伸び、Ｔシャツ１そのものも伸びるので、伸びた前襟ぐり２から胸を出すことができる。引き延ばす力を加減することにより胸の開き具合を簡単に調整できるので、授乳が容易である。また、一旦大きく開いて安定した授乳状態を確保した後にその力を少し緩めて授乳に支障がない程度に胸を隠すようにすることも容易である。
【００１２】
図２より明らかなように、ゴムシャーリング４は肩の切り替えライン３から前方の襟ぐりにのみ設けられているので、授乳時に前襟ぐり２を前方（矢印方向）ないし下方に大きく引き延ばしても、肩ライン３で動きを規制されるので、ウエア１の全体が着崩れすることはない。
【００１３】
授乳を終えた後は、手を離して前襟ぐり２を戻せば図１（ａ）に示す通常の着衣状態に復元する。授乳期を終えて卒乳した場合も図１（ａ）に示す通常の着衣状態で着用し続けることが可能である。
【産業上の利用可能性】
【００１４】
本考案は、特に授乳期の女性が着用するＴシャツ、ノースリーブ、ワンピースなどのアウターウエアとして有効に利用することができるが、通常の着衣状態では授乳用のウエアであることが何ら意識されることのない外観であるので、卒乳後も着用し続けることが可能なウエアである。
【図面の簡単な説明】
【００１５】
【図１】本考案の一実施形態に係るウエアを示す説明図であり、（ａ）は通常の着衣状態、（ｂ）は授乳状態を示す。
【図２】図１のウエアの俯瞰図である。
【符号の説明】
【００１６】
１  ウエア
２  前襟ぐり
３  肩ライン（切替ライン）
４  ゴムシャーリング
【図１】
0003145304.tif 000003
【図２】
0003145304.tif 000004
(57)【要約】      （修正有）【課題】裏返しになった手袋を簡単に元に戻す器具を提供する。【解決手段】本品はハサミと同じように片手に持ち、必要な手袋の指に、内側からゆっくりと差込ます。次にハサミと同じように、本器の先端を開きます。次は開いた先端に片方の手の指で手袋の指先を挟み込み、もう一度握りゆっくりと引き出します。【選択図】図１
0003145337.tif 000002
【実用新案登録請求の範囲】
【請求項１】
現在手袋は、布製、糸製、ナイロン製、ゴム製等あらゆる材質にて、作られております。一度使って手を抜くと、必ずといってもよいほど裏返しになり、それおもどすのに大変めんどうします。特に薄でのゴム製等は大変なものです。裏返しとなりました手袋を、簡単に元に戻す為の道具が本器です。
【請求項２】
本器はスチール製で出来ていまして、先端には滑り止め用の歯と、手袋の材質がいたまないように、ゴムにてシールされております。
本器を使うにわ、ハサミと同じ手に持って、手袋の必要な指穴に差込みハサミを開くと同じように、本器の先端を開きます。次は自分の別の手指で開いた先端に手袋の必要な指先を押し込み、右手で押さえ引きだします。
本器は、どの指にも同じに使えます。
【考案の詳細な説明】
【技術分野】
【０００１】本考案は大変面倒な裏返しになった手袋を簡単に元に戻す器具であります。
【背景技術】
【０００２】ゴム製等は特に面倒で、口で息を吹き込む場合もあるが、不衛生である。
【考案の開示】
【考案が解決しようとする課題】
【０００３】ほとんど毎日のように使っている手袋が、めんどうな物ではこまります。それを解決するものが本製品です。
【課題を解決するための手段】
【０００４】本製品はハサミと同じに片手に持って、簡単に使えます。
【考案の効果】
【０００５】上述のように本品は小型で軽量で、使いやすくどの指にも適用です。
【実施例１】
【０００６】本品はハサミと同じように片手に持ち、必要な手袋の指に、内側からゆっくりと差込ます。次にハサミと同じように、本器の先端を開きます。次は開いた先端に片方の手の指で手袋の指先を挟み込み、もう一度握りゆっくりと引き出します。
【図面の簡単な説明】
【０００７】
【図１】本考案手袋裏返し器の正面図である。
【符号の説明】
【０００８】１  手袋裏返し器本体（全長２５０ｍｍぐらい）スチール製
先端部分にゴムシールほどこし
２  本体握り部分
３  可動部分のカシメ
４  先端押さえ部分及びゴムシール
【図１】
0003145337.tif 000003
【手続補正書】
【提出日】平成20年7月1日(2008.7.1)
【手続補正１】
【補正対象書類名】実用新案登録請求の範囲
【補正対象項目名】全文
【補正方法】変更
【補正の内容】
【実用新案登録請求の範囲】
【請求項１】
スチール製で出来ており、先端には滑り止め用の歯があり、先端がゴムにてシールされている手動式手袋裏返し器。
(57)【要約】【課題】閉じた状態の雨傘や日傘を持ち歩く時に、他の荷物が持ちづらく手が使いづらくなるなど、日常の様々な動作が制限され不便にならないように、手で持たずに肩に掛けてぶらさげた状態で携行することができる肩掛けストラップ付傘を提供する。【解決手段】手元（ハンドル）部分に吊り紐を装着しその吊り紐を肩に掛けることにより、閉じた状態の雨傘や日傘を手で持たず体の側面にぶらさげての携行が可能となった。その結果、荷物などが持ちやすくなり手の自由度が増すことにより動作が制限され不便を感じていたことが解消される。【選択図】図１
0003145340.tif 000002
【実用新案登録請求の範囲】
【請求項１】
使用していない閉じた状態の時、傘の手元（ハンドル）の何れかの部分からのびる吊り紐を介して肩に掛け、体に添ってぶらさげた状態で携行できるようにした雨傘・日傘であること。
【請求項２】
肩にかける吊り紐は、傘の手元（ハンドル）部分と一体化されているか、若しくはジョイント用の部品を介して取り外しできるようになっていること。
【請求項３】
吊り紐には伸縮性のあるコイル状のものやデザイン・材質に特徴を有するものを採用してファッション性が重視され、さらに肩掛けとして使っていない時に吊り紐が邪魔になる場合は、長さ調節や収納ケースを取り付けるなどしてコンパクトになるよう配慮されていること。
【考案の詳細な説明】
【技術分野】
【０００１】本考案は、傘の手元（ハンドル）部分からのびる吊り紐により肩に掛けることができる傘で、閉じた状態の時に手で持たずに肩に掛けてぶらさげた状態で携行することができるようにしたものである。
【背景技術】
【０００２】従来は、閉じた状態の時に手元（ハンドル）部分からのびる紐を肩に掛けて持ち歩くことができる雨傘や日傘はなかった。
【考案の開示】
【考案が解決しようとする課題】
【０００３】傘を持って外出した日に、雨がやんでいたり駅やデパートなどの屋内に入った時などに、閉じた状態の雨傘や日傘を手で持っていると鞄や買い物袋などの他の荷物が持ちづらく、手がふさがっているのでスーパーなどで商品を手にとって見にくく、会計時には鞄から財布を取り出しづらくなるなど、日常の様々な状況での動作が制限されて非常に不便であるという難点があった。本考案は、この課題を解消するためになされたものである。
【課題を解決するための手段】
【０００４】傘の手元（ハンドル）部分１に肩掛け用の吊り紐２を取り付けることにより、肩に掛けて体の側面にぶらさげ手で持つことなく携行できる傘にした。吊り紐には伸縮性のあるコイル状のもの３やデザイン・材質に特徴を有するものを採用してファッション性を重視し、さらに肩掛けとして使っていない時に吊り紐が邪魔になる場合は、長さ調節や収納ケース４を取り付けるなどしてコンパクトになるよう配慮した。
【考案の効果】
【０００５】傘を持った外出時、様々な状況下で手に持っている閉じた状態の雨傘や日傘がなにかとじゃまであったが、本考案により肩に掛けて携行できるようになり、その結果荷物などが持ちやすくなった。手の自由度が増すことにより、買い物などで商品を手にとってじっくり見やすくなり、さらに会計時などには鞄から財布を取り出しやすくなるなどの日常の動作もスムーズとなり、傘１本持っているだけで動作が制限され不便を感じていたことが解消される。また、傘自体を肩に掛けてお洒落に持ち歩く新しいスタイルを提案することにより、ファッションとしての傘の注目度の向上にも貢献することができる。
【実施例】
【０００６】荷物を両手に持っている人物が、本考案５を携行している実施例を図３に示した。
【図面の簡単な説明】
【０００７】
【図１】本考案を示した全体図である。
【図２】本公安の展開例を示した図である。
【図３】本考案の実施例を示した図である。
【符号の説明】
【０００８】１  手元（ハンドル）
２  吊り紐部分
３  コイル状の吊り紐
５  吊り紐収納ケース
６  本発明装着時のイメージ
【図１】
0003145340.tif 000003
【図２】
0003145340.tif 000004
【図３】
0003145340.tif 000005
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
使用していない閉じた状態の時、傘の手元（ハンドル）の何れかの部分からのびる吊り紐を介して肩に掛け、体に添ってぶらさげた状態で携行できるようにした雨傘・日傘。
【請求項２】
肩にかける吊り紐は、傘の手元（ハンドル）部分と一体化されているか、若しくはジョイント用の部品を介して取り外しできるようになっていることを特徴とする請求項１に記載の傘。
【請求項３】
吊り紐には伸縮性のあるコイル状のものやデザイン・材質に特徴を有するものを採用してファッション性が重視され、さらに肩掛けとして使っていない時に吊り紐が邪魔になる場合は、長さ調節や収納ケースを取り付けるなどしてコンパクトになるよう配慮されていることを特徴とする請求項１に記載の傘。
(57)【要約】      （修正有）【課題】少量の食事量でも満腹感を実感できダイエットの効果を出すことができる弁当箱を提供する。【解決手段】食事量を調整できるようにひと口ずつの食事量を入れられるように細かく仕切っている弁当箱にした。ひと口分ずつ細かく仕切る事により，ひと口分の食事量を調整して入れることができる為、ひと口の食事量を多く摂取する事はなくなった。【選択図】図１
0003145334.tif 000002
【実用新案登録請求の範囲】
【請求項１】
食事量をひと口ずつ仕切っている弁当箱
【考案の詳細な説明】
【考案が解決しようとする課題】
【０００１】ダイエットの食事方法でひと口分は必ず３０回以上噛み，２０分くらい時間をかけて食べれば満腹中枢が刺激され、少量の食事量でも満腹感を実感できダイエットの効果を出すことができます。
ただし，ひと口分の食事量が多ければ満腹中枢が刺激されるまでに，必要以上の量を摂取してしまうため，ダイエットの効果を出すことできません。よって，従来の弁当箱を使うとひと口分の食事量を調整することができないという問題点があった。
【課題を解決するための手段】
【０００２】食事量を調整できるようにひと口分ずつの食事量を入れられるように細かく仕切っている弁当箱にした。
【考案の効果】
【０００３】弁当箱がひと口分の食事量を調整して仕切られているため，ひと口分の量を多く摂取することなく食事をすることができる。
【図面の簡単な説明】
【０００４】
【図１】
【符号の説明】
【０００５】  １  弁当箱
２  ひと口分仕切り
３  ひと口分量
【図１】
0003145334.tif 000003
【手続補正書】
【提出日】平成20年7月5日(2008.7.5)
【手続補正１】
【補正対象書類名】実用新案登録請求の範囲
【補正対象項目名】全文
【補正方法】変更
【補正の内容】
【実用新案登録請求の範囲】
【請求項１】
食事量をひと口ずつに仕切るための仕切りを内部に有する弁当箱
【手続補正２】
【補正対象書類名】明細書
【補正対象項目名】０００４
【補正方法】変更
【補正の内容】
【０００４】
【図１】は弁当箱姿図である。
(57)【要約】      （修正有）【課題】複雑な構造をもたず、しかも電力や資源を浪費しない単純で廉価な健康ボールを提供する。【解決手段】硬式テニスの廃品ボール等を回収し、その２個を綿布又は麻布にて固く包装して作った物品であり、この器具を背筋に当て自力で屈伸をくり返すことにより背筋をマッサージし、背筋の矯正と老化の予防、脚力、腹筋を鍛錬することを目的とすることを特徴とする健康ボールである。【選択図】図２
0003145333.tif 000002
【実用新案登録請求の範囲】
【請求項１】
硬質な弾力性のあるゴム又はアクリル製の珠２個を、麻布のような伸縮性があり滑らない布に入れ緊縮する。仰向けに寝ながら、この器具を背筋にあて自力で屈伸を繰り返すことによって背筋をマッサージし背骨の矯正と老化防止、脚力、腹筋の鍛錬に役立てる。
【考案の詳細な説明】
【技術分野】
【０００１】本考案は、弾力性のある２個の珠によって背筋を自力でマッサージ出来る。省エネ化を考慮した運動器具である。
【背景技術】
【０００２】電動マッサージ機は価格が高額であり、居住空間を狭くし移動にも困難である。また省エネからも自力による方法が今日であり、メタボリック症候群にならない予防に役立つ。
【考案が解決しようとする課題】
【０００３】本考案は絨毯など滑りにくい床に仰向けに寝て、自力でボールを転がす。脚力と腹筋に力がかかり肥満者のスリム化に役立つ。球の大きさや堅さを変えることによって性別にかかわらず、病弱者にも使いやすいものにしたい。
【課題を解決するための手段】
【０００４】部屋の中に放置して置いても邪魔にならないように意匠に工夫をしたい。足裏のマッサージにも使えるようにして利用範囲を広くする。廉価で供給出来るようにする。
【考案の効果】
【０００５】この運動器具を愛用すれば姿勢が良くなり、老化防止に役立つ。腹に脂肪分がたまらずスリム化に役立つ。早くから利用していると腰が曲がらない。また省エネに役立ち居住空間を狭くしない。疲労回復にも役立つ。
【本考案の実施するための最良の形態】
【０００６】非営利活動法人の資金源に利用したい。高度障害者の自立のための仕事の一環として普及させたい。あわせてこの珠を入れるパッケージに工夫をこらせば、営業活動の一つとして利用することも可能と思われる。
【実施例】
【０００７】本考案に似た器具を考案者自身が手作りし、長年にわたり使用しているがその効果はたしかである。考案者自身電気マッサージ機を購入し現在も使用しているが、居間の場所を狭くし、故障もあり不便である。今ではテレビを見るための単なる椅子にしか役立っていない。本案の器具は電気マッサージ機に勝るとも劣らない効果をしめしている。
【図面の簡単な説明】
【０００８】
【図１】本考案の実施図３様
【図２】断面図
【符号の説明】
【０００９】１  麻布のような滑らない布
２  弾力性のある硬質なゴム又はプラスチック
【図１】
0003145333.tif 000003
【図２】
0003145333.tif 000004
【手続補正書】
【提出日】平成20年7月9日(2008.7.9)
【手続補正１】
【補正対象書類名】実用新案登録請求の範囲
【補正対象項目名】全文
【補正方法】変更
【補正の内容】
【実用新案登録請求の範囲】
【請求項１】
硬式テニスの廃品ボールを回収し、その２個を綿布又は麻布にて固く包装して作った物品であり、この器具を背筋に当て自力で屈伸をくり返すことにより背筋をマッサージし、背筋の矯正と老化の予防、脚力、腹筋を鍛錬することを目的とすることを特徴とする健康ボール。
(57)【要約】【課題】  高齢者が錠剤薬を服用する場合に簡単で確実に服用できると共に、要介護者に対して介護者は片手で要介護人の体を支えながら片手で錠剤薬の服用ができるコップを提供する。【解決手段】  コップの中央内部に仕切板を取り付け、仕切板下部に錠剤薬ポケットを配置し錠剤薬ポケット底面には水流出穴を開ける。錠剤薬服用時にコップを傾けると、仕切板により水は流れずに錠剤薬ポケットの底面にある水流出穴からのみ流れ出しポケット内の錠剤薬が押し流され、水を飲むように錠剤薬も同時に服用できます。  また、コップの左右に取手を取り付けることにより左右双方向性があり、介護補助時の状況に対して柔軟性を特徴とする。【選択図】図４
0003145338.tif 000002
【実用新案登録請求の範囲】
【請求項１】
コップ内に仕切板と錠剤薬ポケットを取り付けることにより、コップを傾けるだけで錠剤薬ポケットの水流出穴より流れる水が錠剤薬ポケット内の錠剤薬を押し出して水を飲む感覚で錠剤薬を服用するとこが出来る。
【請求項２】
錠剤薬服用コップの左右に取手を付けることにより介護機能が充実する。
【考案の詳細な説明】
【技術分野】
【０００１】  本考案は、片手で簡単に確実に錠剤薬を服用できるコップに関する。
【背景技術】
【０００２】  高齢化時代となり錠剤薬の服用が多くなると共に要介護者が増加する傾向にある。
【考案の開示】
【考案が解決しようとする課題】
【０００３】  高齢者および要介護者が確実にかつ簡単に錠剤薬を服用できると共に介護者の負担減少。
【考案が解決するための手段】
【０００４】  高齢者および要介護者に対して、簡単に確実に錠剤薬を服用できることを目的とした。
【考案が解決するための最良の手段】
【０００５】  高齢者又は介護者は、錠剤薬飲用コップに水を入れ、数種類の錠剤を錠剤薬ポケットに入れたあと、錠剤薬服用のため飲用コップを傾けるが仕切板で水が流れずに、錠剤ポケットの水流出穴からのみ流れ出した水が錠剤ポケットの錠剤を押し出して水を飲むように錠剤薬を服用できます。
【０００６】  コップの取手を左右に取り付けることにより、要介護者の状況に応じた状態で介護者の錠剤薬服用補助が柔軟に出来ます。
【考案の効果】
【０００７】  高齢者及び障害者の方々が簡単に錠剤薬を片手で服用できた。
【０００８】  介護者が要介護人に対して、片手で体を支えながら錠剤薬を簡単に服用させることが出来た。
【図面の簡単な説明】
【０００９】
【図１】  本考案の上面断面図  １  錠剤薬ポケット  ２  水流出穴  ３  仕切版
【図２】  本考案の側面図
【図３】  本考案の正面図
【図４】  錠剤薬服用コップに水をいれ、錠剤薬ポケットに錠剤薬を入れた状態。
【図４】  錠剤薬服用時にコップを傾ければ、仕切板により水は流れず錠剤薬ポケットの水流出穴からのみ水は流れ出して錠剤薬ポケット内にある錠剤薬が水に押し流されます。
【図１】
0003145338.tif 000003
【図２】
0003145338.tif 000004
【図３】
0003145338.tif 000005
【図４】
0003145338.tif 000006
【図４】
0003145338.tif 000007
【手続補正書】
【提出日】平成20年7月7日(2008.7.7)
【手続補正１】
【補正対象書類名】実用新案登録請求の範囲
【補正対象項目名】全文
【補正方法】変更
【補正の内容】
【実用新案登録請求の範囲】
【請求項１】
コップ内に仕切板と錠剤薬ポケットを取り付けることにより、コップを傾けるだけで錠剤薬ポケットの水流出穴より流れる水が、錠剤薬ポケット内の錠剤薬を押し出して、水を飲む感覚で錠剤薬を服用することが出来る錠剤薬服用コップ。
【請求項２】
錠剤薬服用コップの左右に取手を取付けることにより、高齢者及び障害者の方々の状況に応じて左右どちらの手でもコップの取手を握ることが出来ることを特徴とする請求項１に記載の錠剤薬服用コップ。
【手続補正２】
【補正対象書類名】明細書
【補正対象項目名】０００９
【補正方法】変更
【補正の内容】
【０００９】
【図１】本考案の上面断面図  １  錠剤薬ポケット  ２  水流出穴  ３  仕切板
【図２】本考案の側面図
【図３】本考案の正面図
【図４】錠剤薬服用コップに水をいれ、錠剤薬ポケットに錠剤薬を入れた状態。
【図５】錠剤薬服用時にコップを傾ければ、仕切板により水は流れず錠剤薬ポケットの水流出穴からのみ水は流れ出して錠剤薬ポケット内にある錠剤薬が水に押し流されます。
【手続補正３】
【補正対象書類名】図面
【補正対象項目名】全図
【補正方法】変更
【補正の内容】
【図１】
0003145338.tif 000008
【図２】
0003145338.tif 000009
【図３】
0003145338.tif 000010
【図４】
0003145338.tif 000011
【図５】
0003145338.tif 000012
(57)【要約】      （修正有）【課題】ファスナー生地の持つ素材感を全面に出したポーチを提供する。【解決手段】ファスナー生地のみで袋状形態物を形成することにより、ファスナーの素材感を前面に打ち出し、かつ、同一素材の使用により熱等の変化に均一性の変化を期待できる。ファスナー生地は、開閉部分に負担がかからないように、幅３８ｍｍ以上あるファスナーを使用してもよい。【選択図】図１
0003145357.tif 000002
【実用新案登録請求の範囲】
【請求項１】
ファスナー生地のみで袋状にすることを特徴とするポーチ。
【請求項２】
前項ファスナー生地は、開閉部分に負担がかからないように、幅３８ｍｍ以上あるファスナーを使用することを特徴とする請求項１記載のポーチ。
【考案の詳細な説明】
【技術分野】
【０００１】  本考案は、収納のための袋状携帯物の形状に関するものである。
【背景技術】
【０００２】  従来の袋状携帯物の形状は、図２に示すように、開閉部分にのみファスナーを使用し、袋を構築する主要部分は別の生地を使用するものが一般的であった。
別の生地の例としては、ハンプ・麻・ナイロン生地などが挙げられる。
【考案の開示】
【考案が解決しようとする問題】
【０００３】  しかし、以上の技術によれば、ファスナーは開閉機能を主とする存在でしかなく、ファスナーそのものが持つ素材感を表現するには至っていない。また、異なる生地との併用により加熱などによる変化に均一ではない症状が発生しがちであった。
そこで、本考案は、ファスナー生地の持つ素材感を全面に出した袋状携帯物および同一素材による均一性を提供することを課題とする。
【課題を解決するための手段】
【０００４】  以上の課題を解決するために、第一考案は、ファスナー生地以外を袋状携帯物の主幹部分に使用しないことを特徴とするポーチである。
また、第二考案は、適度な大きさを確保するために、ファスナー生地とファスナー生地を複数連結させることを特徴とするポーチである。さらに、第三考案は、第二考案のために、ファスナー生地の連結部分用に３８ｍｍ以上の幅を有するファスナーを使用することを特徴とするポーチである。
【考案の効果】
【０００５】  第一考案、第二考案、および第三考案によれば、ファスナーの持つ素材感を全面に出し、かつ均一素材による安定感を提供することが可能である。また、複数のファスナーを連結した後は、ファスナーの持つ開閉機能を利用し、複数箇所からの開閉を可能にする効果も有す。
【考案を実施するための最良の形態】
【０００６】  この考案の一実施形態を、図１示す。ポーチの主幹部分１は、ファスナーである、このファスナーには必要に応じてファスナーのスライダー金具が一体的に設けられている。
【実施例】
【０００７】  「実施形態の効果」
この実施形態によれば、ファスナー生地の素材感を前面に表現できる。また、同一素材の使用により、外的要因による変化が生じた場合、均一性を持った変化を行う。【０００８】  「他の実施形態」
図１の実施形態では、ファスナーを横方向にとりつけているが、他の実施形態では、ファスナーは縦方向にとりつけたものでも良い。
【図面の簡単な説明】
【０００９】
【図１】この考案の一実施形態を示す斜視図である。
【図２】従来技術を示す斜視図である。
【符号の説明】
【００１０】１  ファスナー生地
２  ファスナーのスライダー金具
３  ファスナー生地以外の素材
【図１】
0003145357.tif 000003
【図２】
0003145357.tif 000004
(57)【要約】【課題】入浴をする時などに転倒を予防する、浴室用くつ、浴室用履きものを提供する。【解決手段】壁部に通気孔又は通気孔を形成した履物であり、浴室と床との接触面が合成樹脂、天然樹脂、人造ゴム、天然ゴム、織布、不織布等で作られ前記床面上で滑りにくい材質で形成されていると共に接触部に通気孔を特徴とする浴室用履物及び靴である。【選択図】図５
0003145354.tif 000002
【実用新案登録請求の範囲】
【請求項１】
壁部に通気孔又は通気孔を形成した浅い靴であって、溶室の床面との接触が、合成樹脂、天然樹脂、人造ゴム、天然ゴム、織布、不織布等で作られ、前記床面上で滑りにくい材質で形成されていると共に、接触部に通気孔を特徴とする浴室用靴である。
【請求項２】
壁部に通気孔又は通気孔を形成した履物であり浴室と床面との接触面が合成樹脂、天然樹脂、人造ゴム、天然ゴム、織布、不織布等で作られ前記床面上で滑りにくい材質で形成されていると共に、接触部に、通気孔を特徴とする浴室用履物である。
【考案の詳細な説明】
【技術分野】
【０００１】本考案は、入浴する時に転倒を予防する、浴室用くつ、浴室用履きものである。
【背景技術】
【０００２】従来は、素足のまま滑らないように気をつけながら歩いていた。
【特許文献１】実開平
【考案が解決しようとする課題】
【０００３】（イ）お風呂などに入った時、素足のため足元にいくら注意してみても、ケガをしたり、転倒したりする事が多かった。
（ロ）浴槽に入った時、足を滑らせてケガをしてしまう事があった。
本考案は、以上の問題点を解決するためになされたものである。
【課題を解決するための手段】
【０００４】壁部に通気孔又は通気孔を形成した履物であって溶室と床面との接触面が合成樹脂、天然樹脂、人造ゴム、天然ゴム、織布、不織布等で作られ、前記床面上で滑りにくい材質で形成されていると共に接触部に通気孔を特徴とする浴室用履物及び靴である。
【発明の効果】
【０００５】履きやすく通気孔で水がぬけていくので滑りにくく足にピッタリとくっっいて通気せいがあり、足と一体になる事で異和感がない。
不用意にあるいても転ぶ可能性が低くなり、転倒を防ぐ事が出来る。
【考案を実施するための最良の形態】
【０００６】  以下、本発明の実施の形態を説明する。
（イ）足指を通す鼻緒（１）に足の指を通し、足の甲のバンド（４）を足の甲にとりつける。足首にかかるバンド（５）があるものは足首にもつける。
（ロ）履き口（６）から足を入れる。サイド（７）ポッチ（３）には通気性があり、足裏のパット（２）の上に足をのせる。ポッチ（３）は、一定で均等に分散させている。
（ハ）（２）（３）は履きものには全てついている。
【図面の簡単な説明】
【０００７】
【図１】本考案の上面図
【図２】本考案の上面図
【図３】本考案の足に履いた射視図
【図４】本考案の足に履いた側面図
【図５】本考案の足に履いた側面図
【符号の説明】
【０００８】１  足指を通す鼻緒
２  足裏のパット部
３  ポッチ（通気孔）
４  足の甲のバンド
５  足首にかかるバンド
６  履き口
７  サイド
【図１】
0003145354.tif 000003
【図２】
0003145354.tif 000004
【図３】
0003145354.tif 000005
【図４】
0003145354.tif 000006
【図５】
0003145354.tif 000007
(57)【要約】      （修正有）【課題】握力の弱い小さい子供や高齢の人でも安全に使うことのできる包丁を提供する。【解決手段】従来の包丁の刃の部分の金属部分を柄の下部の一部まで、又は柄尻部まで延長し、握った指が前後に滑らないように柄の下部に指を入れる孔を付けた事で、安定した握りが出来るようにした。【選択図】図３
0003145313.tif 000002
【実用新案登録請求の範囲】
【請求項１】
従来の包丁と、従来の包丁の刃尻の金属の部分を、柄の下部の一部まで又は柄尻部まで延長し、入れて握った指が前後に滑らないようにする為に指孔を付けた包丁。
【考案の詳細な説明】
【技術分野】
【０００１】本考案は包丁の刃と柄の部分に関する。
【背景技術】
【０００２】従来の包丁の柄は、握力の弱い小さな子供又高齢の人、手先が不自由な人には包丁を使う時に不安を感じる事も少なくなかった。
【考案の開示】
【考案が解決しようとする課題】
【０００３】握力の弱い者が安定して柄を握るためには、柄の下部等に指を入れる孔を作り、その縁に指を固定する事で安定して柄を握る事が出来るのではと考えた。
【課題を解決するための手段】
【０００４】そこで、従来の包丁と従来の包丁の刃を付けている、金属の部分を柄の下部の一部まで（図２）又は、柄尻部まで（図３）延長し、柄の下部に指を入れる孔を付けた。
【考案の効果】
【０００５】指を孔に入れる事で、手が前後に滑る事が無いので安定した握りが出来るようになった。  又従来の刃尻の部分の危険感も、気にする必要が無くなった。
【考案を実施するための最良の形熊】
【０００６】柄下部に作った指を入れる孔は、ゆとりのある大きさにしているので、しっかり握りたい時は孔の前の縁、又は後の縁に指が食い込むほど押し付けて握れば、最強の固定感が得られる。
【図面の簡単な説明】
【０００７】
【図１】本考案に係る従来の包丁の金属の部分に安定した握りをするための孔を付けた包丁の図
【図２】従来の包丁の刃尻の金属の部分を、柄の下部の一部まで延長し指を入れる孔を付けた包丁の図である。
【図３】金属の部分を柄尻部まで延長し指を入れる孔を付けた包丁の図である。
【符号の説明】
【０００８】１  安定した握りをするために付けた指孔
２  包丁の柄
３  刃尻の部分  ○刃の部分は従来の包丁と同じで柄先下部までとする。
【図１】
0003145313.tif 000003
【図２】
0003145313.tif 000004
【図３】
0003145313.tif 000005
【手続補正書】
【提出日】平成20年4月15日(2008.4.15)
【手続補正１】
【補正対象書類名】実用新案登録請求の範囲
【補正対象項目名】全文
【補正方法】変更
【補正の内容】
【実用新案登録請求の範囲】
【請求項１】
現在、一般に使用されている包丁の、刃尻の金属の部分を柄の下部の一部まで、又は柄尻部まで延長し、入れて握った指が前後に滑らないようにする為に指孔を付けた三タイプの包丁（図１、２、３）。
【手続補正書】
【提出日】平成20年6月27日(2008.6.27)
【手続補正１】
【補正対象書類名】実用新案登録請求の範囲
【補正対象項目名】全文
【補正方法】変更
【補正の内容】
【実用新案登録請求の範囲】
【請求項１】
包丁の、刃尻の金属の部分を、柄の下部の一部まで又は柄尻部まで延長し、入れて握った指が前後に滑らないようにするために指孔を付けた包丁。
(57)【要約】      （修正有）【課題】視力、照明に関わりなく埃の存在を確認し、その採取量を判別できるカーペットクリーナー及びフローリング用シートを提供する。【解決手段】カーペットクリーナーやフローリング用シートの使途に合わせ、目的とする埃とは反対の色彩で彩色されたカーペットクリーナーやフローリング用シートを造る。例えば、白色の埃に対しては黒色のクリーナーやシートを選択することにより、埃を識別し易くなる。【選択図】図２
0003145316.tif 000002
【実用新案登録請求の範囲】
【請求項１】
カーペットクリーナーや、フローリング用ドライシートとウェットシートで有色のもの。
【考案の詳細な説明】
【技術分野】
【０００１】  本考案は、カーペットクリーナーやフローリング用シートで  付着する埃が識別し易い為に  埃が目立つ色彩に前以って彩色する工夫である。
【背景技術】
【０００２】  従来  カーペットクリーナーやフローリング用シートは皆  清潔感からか白色であった。【０００３】  しかしながら、家庭内など埃の殆どは白に近く、識別し難いものである。
【考案の開示】
【考案が解決しようとする課題】
【０００４】  例えば  屋内の埃の代表は  白色の繊維屑であろう、それが目立つには黒色である。【０００５】  屋外の埃の代表は  土埃であろう、乾いていれば褐色で  それに対しては紫色である。
【課題を解決するための手段】
【０００６】  カーペットクリーナーやフローリング用シートの使途に合わせ  その目的の埃の目立つ色彩で彩色された素材でカーペットクリーナーやフローリング用シートを造る。【０００７】  カーペットクリーナーやフローリング用シートが  種々な場面で使われ  その都度埃の色合いが違うような場合に合わせ、各色詰め合わせも用意すべきである。
【考案の効果】
【０００８】  互いに  反対色であるから  照明や視力に頼らず  その存在を確認でき  採取量が判り余力が判る。
【考案を実施するための最良の形態】
【０００９】  カーペットクリーナーやフローリング用シートの原反に  黒色など埃の目立つ色を選び、それをカーペットクリーナーやフローリング用シートへ加工する。
【実施例１】
【００１０】  図１のように  カーペットクリーナー粘着テープの原反が黒色であるもの。
【実施例２】
【００１１】  図２のように  フローリング用シートの原反が黒色であるもの。
【図面の簡単な説明】
【００１２】
【図１】  粘着性の原反が黒色など  埃と反対色であって、付着した埃が識別しやすい。
【図２】  粘着性の原反が黒色など埃と反対色であって，付着した埃が識別しやすい。
【符号の説明】
【００１３】１  カーペットクリーナー粘着テープ
２  フローリング用シート
【図１】
0003145316.tif 000003
【図２】
0003145316.tif 000004
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
有色のカーペットクリーナーや、有色のフローリング用ドライシートとウェットシート。
【手続補正書】
【提出日】平成20年7月4日(2008.7.4)
【手続補正１】
【補正対象書類名】実用新案登録請求の範囲
【補正対象項目名】全文
【補正方法】変更
【補正の内容】
【実用新案登録請求の範囲】
【請求項１】
有色のカーペットクリーナーや、有色のフローリング用シート。
(57)【要約】      （修正有）【課題】いろいろな形状の座席の背もたれに取り付けることができ、旅行用枕を固定して使用できる携帯用の旅行用枕固定器具を提供する。【解決手段】旅行用枕固定器具は、フック状面ファスナーとゴム紐２を繋ぎ合わせ伸縮する円形状の本体部分１を設ける。これに∝状を縦にした形のゴム紐と本体部分を下方に引きつけるゴム紐を取り付けた構造とする。弾性を利用することにより、一つの旅行用枕固定器具で、いろいろな形状の座席の背もたれに取り付けられる。航空機、新幹線で使用するという観点から安全性を重視して、素材は、面ファスナーとゴム紐とする。【選択図】図２
0003145314.tif 000002
【実用新案登録請求の範囲】
【請求項１】
航空機、新幹線の座席の背もたれに、旅行用枕を取り付け固定させるため弾性を利用することを特徴とした着脱できる旅行用枕固定器具。
【請求項２】
請求項１記載に於いて、旅行用枕固定器具は、面ファスナーのフック状面が外側になるようにして、面ファスナーとゴム紐を繋ぎ合わせて伸縮する円形状の本体部分を設ける。円形状の本体部分にゴム紐２本を取り付ける。
１本は、円形状の本体部分を時計の文字盤に例えれば、１０時の点から２時の点に∝状を縦にした形で取り付ける。
もう１本は、１２時の点から６時の点を通って、別の１本が形成している∝状のクロスしている点に取り付ける。
つまり、１本のゴム紐は、１０時の点、２時の点、∝状のクロス点の３箇所で留め、もう１本は、１２時の点、６時の点、∝状のクロス点の３箇所で留める。
旅行用枕固定器具の素材は航空機、新幹線で使用するため、安全性を重視し、面ファスナー、ゴム紐という柔らかい素材を使用する。
以上の如き構造を特徴とした旅行用枕固定器具。
【請求項３】
請求項１、請求項２記載に於いて、面ファスナーをさらに適当な位置に取り付けることにより、旅行用枕以外にクッション、シートなどを固定することができることを特徴とした旅行用枕固定器具。
【考案の詳細な説明】
【技術分野】
【０００１】  本考案は、旅行用枕を航空機、新幹線の座席の背もたれに固定して使用するために必要な、着脱が容易にできる旅行用枕固定器具に関するものである。
【背景技術】
【０００２】  航空機、新幹線の座席の背もたれ部分、特に上部の形状が、製造したメーカー、航空機の機種、新幹線の車両の種類によってまちまちであり、統一されていない。
従って、弾性を利用することにより、一つの旅行用枕固定器具で、いろいろな形状の座席の背もたれに取り付けることができ、旅行用枕を固定する器具として考案したものである。
これまで、座席の背もたれに取り付けて使用する携帯用の旅行用枕固定器具は無かった。
【考案の開示】
【考案が解決しようとする課題】
【０００３】  航空機、新幹線の座席の背もたれの形状は、大げさな言い方をすれば千差万別である。
従って、ある形状には使用できるが、別の形状では使用できないというのでは、旅行用枕固定器具としての役割を果たすことは難しい。一つの旅行用枕固定器具で、いろいろな形状の座席の背もたれに取り付けて使用できる旅行用枕固定器具が必要とされていた。
また、航空機、新幹線で使用するので安全第一という観点から、固定器具の素材がこれを十分満足させるものでなければならない。
【課題を解決するための手段】
【０００４】  旅行用枕固定器具は、面ファスナーのフック状面が外側になるようにして、面ファスナーとゴム紐と繋ぎ合わせて、伸縮する円形状の本体部分（図１）、（図２）を設ける。円形状の本体部分にゴム紐２本を取り付ける。１本は、円形状の本体部分を時計の文字盤に例えれば、１０時の点から２時の点に∝状を縦にした形で取り付ける。もう１本は、１２時の点から６時の点を通って、もう１本が形成している∝状のクロスしている点に取り付ける。
つまり、１本のゴム紐は、１０時の点、２時の点、∝状のクロス点の３箇所に留め、もう１本は、１２時の点、６時の点、∝状のクロス点の３箇所に留める。（図１）、（図２）、（図３）このような極めてシンプルな構造とする。
旅行用枕固定器具の素材は航空機、新幹線で使用するため、安全性を重視し、面ファスナー、ゴム紐という柔らかい素材を使用する。
【考案の効果】
【０００５】  旅行用枕固定器具は、弾性を利用することにより、一つの固定器具で、いろいろな形状の座席の背もたれに取り付けて使用でき、しかもゴム紐と面ファスナーだけなので非常に軽く、折りたたむと手のひらにすっぽり入ってしまう小さな固定器具であり、製作費もあまり掛からない。また、固定器具の素材は、航空機、新幹線で使用するため安全性に配慮し、面ファスナーとゴム紐という柔らかいものとしたので安全面で問題は無い。
【考案を実施するための最良の形態】
【０００６】  本考案による旅行用固定器具の円形状の本体部分（図３）を引き伸ばし座席の背もたれの上部に鉢巻状に取り付ける。∝状のゴム紐のループ状の部分を左右の肘掛に顎紐のように取り付けることにより、円形状の本体部分を下方に引き付ける力が働き、本体部分が背もたれ上部から外れることなくしっかりと取り付けられる。（図３）
取付ける際、ゴム紐に掛かる力が均等になるようにする。
【図面の簡単な説明】
【０００７】
【図１】  正面図である。
【図２】  斜視図である。
【図３】  使用中の斜視図である。
【符号の説明】
【０００８】  １    フック状面ファスナーとゴム紐を繋ぎ合わせた円形状本体。
２    ゴム紐。
【図１】
0003145314.tif 000003
【図２】
0003145314.tif 000004
【図３】
0003145314.tif 000005
【手続補正書】
【提出日】平成20年4月7日(2008.4.7)
【手続補正１】
【補正対象書類名】実用新案登録請求の範囲
【補正対象項目名】請求項１
【補正方法】変更
【補正の内容】
【請求項１】
ゴム紐と面ファスナーを繋ぎ合わせて、旅行用枕を固定するための円形状の本体部分（図１），（図２）を設ける。この本体部分を航空機、新幹線の座席の背もたれの上部に鉢巻状に装着する（図３）。本体部分が、背もたれから外れないように、∝状を縦にした形の別のゴム紐を本体部分に取り付け、∝状のループの部分を座席の肘掛けに顎紐のように引っ掛けて（図３）本体部分を固定する。
ゴムの弾性を利用した構造を特徴とした航空機、新幹線の座席の背もたれに旅行用枕を固定するための着脱容易な旅行用枕固定器具。
【手続補正書】
【提出日】平成20年6月26日(2008.6.26)
【手続補正１】
【補正対象書類名】実用新案登録請求の範囲
【補正対象項目名】請求項１
【補正方法】変更
【補正の内容】
【請求項１】
ゴム紐と面ファスナーを繋ぎ合わせて、旅行用枕を固定するための円形状の本体部分を設け、この本体部分に、∝状を縦にした形のゴム紐と本体部分を二分する形のゴム紐を取り付け、∝状のループの部分を顎紐のように座席の肘掛に引っ掛け、ゴムの弾性を利用し、航空機、新幹線の座席の背もたれに本体部分が外れないように装着することを特徴とした着脱容易な旅行用枕固定器具。
(57)【要約】      （修正有）【課題】クリップ三脚本体に書物を吊り下げ，寝転び姿勢で読書が出来るクリップ三脚を提供する。【解決手段】クリップ三脚は３本の支持脚４と１本の保持棒とを１個の蝶ねじで締め付け、この蝶ねじを中心に３本の支持脚４の開度と保持棒の傾斜角度を調整できる様にした事を特徴とする。書物の左とじ右とじに関らず双方ともクリップの大１ａで、未読の書物を挟み、小１ｂで小分けしたページを一枚づつ読み送り出来る、また、読書を中断する場合もクリップが役立ち簡便である。【選択図】図１
0003145317.tif 000002
【実用新案登録請求の範囲】
【請求項１】
クリップ大に同型のクリップ小を重ね合わせビスねじで固着し三脚上部に取り付け、そのクリップ大小で書物を小分けし吊り下げる事を特徴とする請求項１記載のクリップ。
【考案の詳細な説明】
【技術分野】
【０００１】本考案は寝転び姿勢で読書する際の，三脚書物吊りクリップに関するものである。
【背景技術】
【０００２】従来、寝転び姿勢で読書する際は、書物を手で持ち行っている。
【考案の開示】
【考案が解決しようとする課題】
【０００３】元来、寝転び姿勢で書物を手に持ち読書し続けると、腕に負担がかかり長時間の読書が苦痛である、
本考案は，この様な欠点を解決しようとするものである。
【課題を解決する為の手段】
【０００４】本考案は三脚上部にクリップ大．小を重ね合わせビスねじで固着した書物吊りクリップを取り付け、三脚書物吊りクリップを構成した。
【考案の効果】
【０００５】上述の様に、本考案の三脚書物吊りクリップは、書物の左とじ右とじに関らず双方ともクリップの大１ａで、未読の書物を挟み、小１ｂで小分けしたページを一枚づつ読み送り出来る、また、読書を中断する場合もクリップが役立ち簡便である。
【考案を実施するための最良の形態】
【０００６】本考案の書物吊りクリップは高さ５０ｍｍ幅１００ｍｍのクリップ図２の１ａと高さ２５ｍｍ幅２５ｍｍのクリップ１ｂを重ね合わせビスねじで固着し、三脚上部に取り付け上述の様に書物２をクリップ１ａで挟み中吊りにし、書物吊りクリップを合体化した。
【図面の簡単な説明】
【０００７】
【図１】書物をクリップ大、小で吊り下げた状態の三脚書物吊りクリップの全体図である。
【図２】クリップの大、小を重ね合せ固着したクリップの正面図である。
【符号の説明】
【０００８】１    三脚上から書物を挟んだクリップ大の正面図である。
２    クリップ大に固着したクリップ小の正面図である。
３    クリップ大に挟まれ吊り下がった書物の横体図である。
１ａ  クリップ大。
１ｂ  クリップ小。
３    書物。
【図１】
0003145317.tif 000003
【図２】
0003145317.tif 000004
【手続補正書】
【提出日】平成20年6月26日(2008.6.26)
【手続補正１】
【補正対象書類名】実用新案登録請求の範囲
【補正対象項目名】全文
【補正方法】変更
【補正の内容】
【実用新案登録請求の範囲】
【請求項１】
クリップ大に同型のクリップ小を重ね合わせビスねじで固着し三脚上部に取り付け、そのクリップ大小で書物を小分けし吊り下げる事を特徴とするクリップ。
(57)【要約】      （修正有）【課題】時計の電池交換の際、時計を高所から下ろすことなく、電池ボックス３から電池を交換することができる電池ボックスを提供する。【解決手段】電池ボックス３に導線２を取り付け、その導線２の他端に偽電池１をつける。偽電池１は時計の電池挿入口に固定できる形状とし、電池ボックス３から導線２を通じて時計に電力を供給できるようにする。導線２は電池交換の際に電池ボックス１を手に取りやすい位置におけるだけの十分な長さを持つものとする。電池ボックス３は時計を作動させるための電力を供給できる電池を挿入できて、導線２を通じて偽電池１から時計内に電気を伝えられるようにする。【選択図】図１
0003145319.tif 000002
【実用新案登録請求の範囲】
【請求項１】
時計の電池挿入口に固定できる偽電池と、その取り付け具をつなぐ導線を有する電池ボックス。
【請求項２】
請求項１における偽電池が時計本体と一体化したもの。
【考案の詳細な説明】
【技術分野】
【０００１】  本考案は乾電池等を挿入して使用する、電池ボックスに関するものである。
【背景技術】
【０００２】  壁掛け時計は高い位置に取り付けられていることが多いが、この場合電池を交換するには脚立などを使って時計を下ろす必要があった。
【考案の開示】
【考案が解決しようとする課題】
【０００３】  電池交換の際、高所にある時計を下ろすには不安定な姿勢での作業が必要となり転倒等齢の不安があった。そのため、子供や高齢者には時計の電池交換が困難となっている。本考案は電池を取り付ける電池ボックスを時計から離れた位置におけるようにして、前述の課題を解決しようとするものである。
【課題を解決するための手段】
【０００４】  第一発明は、時計本体の電池挿入口に偽電池を挿入し、そこから導線を時計外に延ばし、その導線の端に電池ボックスを取り付けるものである。これにより、時計の電池を時計から離れた位置におくことができるようになり、誰でも安全な位置で電池交換を行えるようになる。
第二発明は、第一発明における偽電池が時計本体と一体化したものである。
【考案の効果】
【０００５】  第一発明、または第二発明によれば、電池交換の際、高所にある時計を下ろす必要がなくなるため、脚立や踏み台からの転倒事故を防止することにつながる。また手元で手軽に交換できるので、わずらわしさを軽減させることができる。
【考案を実施するための最良の形態】
【０００６】  この発明の一実態形態を、図１に示す。
電池ボックス３に導線２を取り付け、その導線２の他端に偽電池１をつける。偽電池１は時計の電池挿入口に固定できる形状とし、電池ボックス３から導線２を通じて時計に電力を供給できるようにする。導線２は電池交換の際に電池ボックス１を手に取りやすい位置におけるだけの十分な長さを持つものとする。電池ボックス３は時計を作動させるための電力を供給できる電池を挿入できて、導線２を通じて偽電池１から時計内に電気を伝えられるようにする。【０００８】  この形態によれば、時計の電池交換の際、時計を高所から下ろすことなく、電池ボックス３から電池を交換することができる。【０００９】  第二発明に関しては、偽電池が時計４内に内蔵されたものであり、時計１から導線２が延びて、電池ボックス３につながるものとする。
【図面の簡単な説明】
【００１０】
【図１】第一発明の一実施形態を示す斜視図である。
【図２】第二発明の一実施形態を示す斜視図である。
【符号の説明】
【００１１】  １  偽電池
２  導線
３  電池ボックス
４  時計背面
【図１】
0003145319.tif 000003
【図２】
0003145319.tif 000004
【手続補正書】
【提出日】平成20年6月25日(2008.6.25)
【手続補正１】
【補正対象書類名】実用新案登録請求の範囲
【補正対象項目名】全文
【補正方法】変更
【補正の内容】
【実用新案登録請求の範囲】
【請求項１】
時計の電池挿入口に固定できる偽電池と、その取り付け具をつなぐ導線を有する電池ボックス。
【請求項２】
時計本体と一体化した偽電池と、その偽電池をつなぐ導線を有する電池ボックス。